(57)【要約】【課題】狭額縁化を実現しつつ、配線部の表示領域への映り込みを防止できる表示装置を提供する。【解決手段】表示装置11は、液晶パネル12と、バックライト13と、タッチパネル14と、遮光部43とを備える。液晶パネル12は、光の透過率を可変して画像を表示可能な表示領域27を備える。バックライト13は、一部が液晶パネル12よりも外方に延出し、液晶パネル12側に面状光を出力する。タッチパネル14は、液晶パネル12の表示側を覆って設けられる。タッチパネル14は、一部が液晶パネル12よりも外方に延出してバックライト13と対向するとともに、この延出した一部を含む位置に金属製の配線部41を備える。遮光部43は、タッチパネル14に設けられ、バックライト13からの光の配線部41への入射を遮断する。【選択図】図１
2015219340.tif 000002
【特許請求の範囲】
【請求項１】
光の透過率を可変して画像を表示可能な表示領域を備えた表示装置本体と、
一部がこの表示装置本体よりも外方に延出し、この表示装置本体側に面状光を出力するバックライトと、
前記表示装置本体の表示側を覆って設けられ、一部が前記表示装置本体よりも外方に延出して前記バックライトと対向するとともに、この延出した一部を含む位置に金属製の配線部を備えたタッチパネルと、
このタッチパネルに設けられ、前記バックライトからの光の前記配線部への入射を遮断する遮光部と
を具備したことを特徴とする表示装置。
【請求項２】
前記タッチパネルは、
透光性を有する基材と、
この基材の前記表示装置本体側に順次重ねて配置された第１及び第２のフィルム部とを備え、
前記配線部及び前記遮光部は、前記第１及び第２のフィルム部のいずれかに設けられている
ことを特徴とする請求項１記載の表示装置。
【請求項３】
前記配線部は、前記第２のフィルム部の前記第１のフィルム部側と、前記第１のフィルム部の前記第２のフィルム部側とのいずれかに設けられ、
前記遮光部は、前記第２のフィルム部の前記バックライト側に設けられている
ことを特徴とする請求項２記載の表示装置。
【請求項４】
前記配線部は、前記第１のフィルム部の前記第２のフィルム部側に設けられ、
前記遮光部は、前記第２のフィルム部の前記第１のフィルム部側に設けられている
ことを特徴とする請求項２記載の表示装置。
【請求項５】
前記配線部は、前記第１のフィルム部の前記第２のフィルム部側に設けられ、
前記遮光部は、前記配線部を覆って前記第１のフィルム部の前記第２のフィルム部側に設けられている
ことを特徴とする請求項２記載の表示装置。
【発明の詳細な説明】
【技術分野】
【０００１】
本発明の実施形態は、バックライトを備えた表示装置に関する。
【背景技術】
【０００２】
従来、例えばスマートフォンなどの多機能携帯端末に使用されるタッチパネル付きの液晶表示装置(ＬＣＤ)は、この液晶表示装置の表示装置本体である液晶パネルに対してタッチパネルを貼り合わせることで構成されている。このタッチパネルとしては、一般的に、例えば基材であるガラスに対して２枚のセンサフィルムを備えた、いわゆるＧＦＦ(Glass−Film−Film)と呼ばれる方式のものが用いられる。
【０００３】
そして、近年、このような液晶表示装置は、薄型化及び狭額縁化のトレンドにより薄型で狭額縁のものが増加してきている。このような狭額縁化によって、タッチパネルの外縁部に位置する配線部分が表示領域に接近し、表示領域からの斜視により配線パターンが映り込む現象が発生することがある。
【０００４】
そこで、従来、表示領域に対して配線パターンを外方に離間する方法や、バックライトの外形を大きくしてその部分を遮光し、配線パターン部分に外交が入力されないようにする方法が用いられる。しかしながら、これら場合、タッチパネルあるいはバックライトの外形が大きくなり、狭額縁化が実現できない。
【先行技術文献】
【特許文献】
【０００５】
【特許文献１】特開２００４−２９３１９号公報
【発明の概要】
【発明が解決しようとする課題】
【０００６】
本発明が解決しようとする課題は、狭額縁化を実現しつつ、配線部の表示領域への映り込みを防止できる表示装置を提供することである。
【課題を解決するための手段】
【０００７】
実施形態の表示装置は、表示装置本体と、バックライトと、タッチパネルと、遮光部とを備える。表示装置本体は、光の透過率を可変して画像を表示可能な表示領域を備える。バックライトは、一部が表示装置本体よりも外方に延出し、表示装置本体側に面状光を出力する。タッチパネルは、表示装置本体の表示側を覆って設けられる。このタッチパネルは、一部が表示装置本体よりも外方に延出してバックライトと対向するとともに、この延出した一部を含む位置に金属製の配線部を備える。遮光部は、タッチパネルに設けられ、バックライトからの光の配線部への入射を遮断する。
【図面の簡単な説明】
【０００８】
【図１】第１の実施形態の表示装置を示す断面図である。
【図２】第２の実施形態の表示装置を示す断面図である。
【図３】第３の実施形態の表示装置を示す断面図である。
【図４】第４の実施形態の表示装置を示す断面図である。
【発明を実施するための形態】
【０００９】
以下、第１の実施形態の構成を、図１を参照して説明する。
【００１０】
図１において、11は表示装置であり、この表示装置11は、例えばスマートフォンやモバイルＰＣなどの各種多機能携帯端末に搭載される液晶表示装置である。
【００１１】
そして、この表示装置11は、表示装置本体としての液晶パネル12と、バックライト13と、液晶パネル12を覆うタッチパネル14とを備えている。
【００１２】
液晶パネル12は、例えばアクティブマトリクス方式の液晶パネルモジュールであり、一方の基板としての四角形状のアレイ基板21と、このアレイ基板21に所定の間隙を介して対向配置された他方の基板としての四角形状の対向基板22と、これら基板21，22間に介在された光変調層である液晶層23と、これら基板21，22にそれぞれ貼り付けられた偏光板24，25とを備えている。本実施形態では、液晶パネル12としては例えば光の透過率を変えて画像を表示する透過型のものを例に挙げて説明するが、図示しない各画素において、例えば光の透過率を変えて画像を表示する部分と光の反射率を変えて画像を表示する部分とを備える半透過型のものでもよい。
【００１３】
アレイ基板21と対向基板22とは、例えばガラス基板などの透光性を有する絶縁性基板上にそれぞれ所定の機能層を形成することで薄い平板状(平坦状)に構成されている。
【００１４】
液晶層23は、アレイ基板21と対向基板22とを貼り合わせたシール部材により囲まれた四角形状の領域に、液晶層23が封入されているとともに複数の画素がマトリクス状に形成されることで、表示領域27が構成されている。
【００１５】
偏光板24，25は、それぞれ表示領域27全体を覆う大きさに形成されている。また、表示領域27に位置する各画素は、図示しないドライバによって駆動されて、入射光の透過率を画素毎に変化させることで、表示領域27に画像などを表示可能となっている。
【００１６】
バックライト13は、アレイ基板21の偏光板24側に対向して位置しており、四角形平板状に形成され、液晶パネル12側(タッチパネル14側)である表示側に面状光を供給するようになっている。このバックライト13は、長手方向の一端部及び両側部などが液晶パネル12の長手方向の一端部及び両側部などよりも外方に延出したバックライト延出部13aとなっており、このバックライト延出部13aにおいて、液晶パネル12を介さずにタッチパネル14へと光Ｌが直接出力するようになっている。そして、このバックライト13は、外部回路により動作が制御されている。
【００１７】
タッチパネル14は、例えば指先などの接近あるいは接触により変化する静電容量を検知することで使用者の指や入力ペンなどのポインタのタッチ及びそのタッチ位置を検出する静電容量型のセンサであり、例えばガラスなどの透光性を有する部材により四角形状に形成された基材としての化粧板31と、この化粧板31の背面側すなわち液晶パネル12側に積層された第１及び第２のフィルム部としての第１及び第２のセンサフィルム32，33とを備えた、いわゆるＧＦＦ(Glass−Film−Film)方式のものである。そして、このタッチパネル14は、液晶パネル12の表示領域27に表示された画像を透過できるように、透光性を有して形成されている。
【００１８】
化粧板31は、センサフィルム32，33及び液晶パネル12を傷などから保護するためのものである。この化粧板31は、例えば液晶パネル12、各センサフィルム32，33及びバックライト13よりも長手寸法が大きい四角形状となっている。また、この化粧板31には、適宜の印刷などが施されており、液晶パネル12の表示領域27に対向する部分に、光が透過するための印刷開口31aが形成されている。そして、この化粧板31の背面は、第１のセンサ貼り合わせ部としてのラミネート材36により第１のセンサフィルム32と貼り合わせられ、この第１のセンサフィルム32の背面は、第２のセンサ貼り合わせ部としてのラミネート材37により第２のセンサフィルム33と貼り合わせられて、この第２のセンサフィルム33の背面は、貼り合わせ部38により液晶パネル12の対向基板22(偏光板25)と貼り合わせられている。そして、このタッチパネル14は、図示しない外部回路により動作が制御されている。
【００１９】
ラミネート材36，37は、透光性を有する部材により形成された、平面状のいわゆるＯＣＡテープなどであり、少なくとも表示領域27に対向する位置、本実施形態では第１のセンサフィルム32の全体及び第２のセンサフィルム33の全体を、それぞれ化粧板31及び第１のセンサフィルム32に対して貼り合わせている。
【００２０】
貼り合わせ部38は、例えば紫外線(ＵＶ)硬化型樹脂などの透光性を有する部材により平面状に形成され、少なくとも表示領域27に対向する位置、本実施形態では第２のセンサフィルム33の全体を、偏光板25に対して貼り合わせている。したがって、この貼り合わせ部38は、液晶パネル12とタッチパネル14とを貼り合わせている。
【００２１】
第１及び第２のセンサフィルム32，33は、それぞれ例えばＰＥＴなどの合成樹脂製のフィルム部本体としての第１及び第２のフィルム本体32a，33aを備えている。これら第１及び第２のフィルム本体32a，33aは、四角形状に形成され、長手方向の一端部及び両側部などが液晶パネル12の長手方向の一端部及び両側部などよりも外方に延出してバックライト13のバックライト延出部13aと対向する第１及び第２のフィルム延出部32b，33bとなっている。また、これら第１及び第２のフィルム本体32a，33aには、例えば第１のフィルム本体32aの第２のフィルム本体33a側、及び、第２のフィルム本体33aの第１のフィルム本体32a側に、透明電極であるＩＴＯなどにより形成された図示しない電極が表示領域27に対向して画素に対応してそれぞれ形成されており、これら電極を介して、第１及び第２のセンサフィルム32，33により、表示領域27内の互いに交差(直交)する２方向(Ｖ方向及びＨ方向)のタッチ位置の検出がそれぞれ可能となっている。さらに、これら第１及び第２のフィルム本体32a，33a(第１及び第２のセンサフィルム32，33)のいずれか、本実施形態では第２のフィルム本体33a(第２のセンサフィルム33)の第１のフィルム本体32a(第１のセンサフィルム32)側、すなわちラミネート材37側には、例えば銅(Ｃｕ)などの金属製の配線部41が形成されている。
【００２２】
配線部41は、表示領域27よりも外方に位置しているとともに、第２のフィルム延出部33bに延出して成膜されている。そして、この配線部41の第２のフィルム延出部33bに位置する部分は、第２のフィルム本体33a(第２のセンサフィルム33)の背面側、すなわちバックライト13側に設けられた遮光部43によって覆われている。
【００２３】
遮光部43は、例えば黒、あるいはグレーなどの、低反射率の色の層を印刷することで形成されており、第２のフィルム本体33a(第２のセンサフィルム33)の外縁部に亘る部分まで延びてバックライト延出部13aと配線部41との間に位置し、バックライト13からの光Ｌの配線部41への入射を遮断している。
【００２４】
次に、上記第１の実施形態の動作を説明する。
【００２５】
バックライト13から液晶パネル12の背面側に照射された面状光は、表示する画像に対応してそれぞれ透過率が設定された液晶パネル12の画素により変調され、タッチパネル14の印刷開口31aから使用者側に画像として表示される。
【００２６】
この表示された画像に対して、使用者がタッチパネル14の化粧板31にタッチして入力をすると、タッチパネル14の第１及び第２のセンサフィルム32，33がそのタッチ位置や動作などを検出することで、液晶パネル12やその他の機器が所定の動作を行う。
【００２７】
そして、バックライト13から出力される面状光のうち、バックライト延出部13aにて液晶パネル12を介さずにタッチパネル14側へと出力された光Ｌは、このバックライト延出部13aに一部が対向する遮光部43により遮光されて配線部41に入力せず、配線部41での反射を防止する。
【００２８】
このように、上記第１の実施形態によれば、バックライト13からの光Ｌの配線部41への入射を遮断する遮光部43をタッチパネル14に形成するので、例えばタッチパネル14の第１及び第２のフィルム延出部32b，33bをより外方へと延出させて配線部41にバックライト13の光Ｌが入射しないようにしたり、バックライト13のバックライト延出部13aをより外方へと延出させて光Ｌを遮光したりする必要がなく、狭額縁化を実現しつつ、配線部41の表示領域27への映り込みを確実に防止できる。
【００２９】
したがって、バックライト13やタッチパネル14は遮光部43を除いて従来の構成のままでよいため、設計変更などが不要で、製造性が良好である。
【００３０】
なお、上記第１の実施形態において、図２に示す第２の実施形態のように、配線部41を、第１のフィルム本体32a(第１のセンサフィルム32)の第２のセンサフィルム33側に形成し、遮光部43を第２のフィルム本体33a(第２のセンサフィルム33)の第１のセンサフィルム32側に形成しても、上記第１の実施形態と同様の効果を奏することができる。
【００３１】
また、図３に示す第３の実施形態のように、配線部41を、第１のフィルム本体32a(第１のセンサフィルム32)の第２のセンサフィルム33側に形成し、遮光部43を、この配線部41を覆って第１のフィルム本体32a(第１のセンサフィルム32)の第２のセンサフィルム33側に形成しても、上記第１の実施形態と同様の効果を奏することができる。
【００３２】
そして、以上説明した少なくとも一つの実施形態によれば、遮光部43を印刷によって形成することで、より高精度に遮光部43を製造できる。
【００３３】
さらに、図４に示す第４の実施形態のように、配線部41を、第１のフィルム本体32a(第１のセンサフィルム32)の第２のセンサフィルム33側に形成し、遮光部43を、第２のフィルム本体33a(第２のセンサフィルム33)のバックライト13側に貼り付けた遮光テープとしても、上記第１の実施形態と同様の効果を奏することができるとともに、遮光部43を遮光テープの貼り付けによって容易に製造できるので、表示装置11をより低コストで製造できる。
【００３４】
そして、上記各実施形態において、タッチパネル14は、例えば化粧板31に対して両面印刷したフィルム部(センサフィルム)を貼り合わせた、いわゆるＧＦ２方式のものなどでもよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
11    表示装置
12    表示装置本体としての液晶パネル
13    バックライト
14    タッチパネル
27    表示領域
31    基材としての化粧板
32    第１のフィルム部としての第１のセンサフィルム
33    第２のフィルム部としての第２のセンサフィルム
41    配線部
43    遮光部
【図１】
2015219340.tif 000003
【図２】
2015219340.tif 000004
【図３】
2015219340.tif 000005
【図４】
2015219340.tif 000006